(57)【要約】【課題】騒音や消費電力を抑えつつ、家屋へ侵入しようとする不審者への威嚇とともに、被検知者に対して検知中であることを確実に認識させる。【解決手段】人体検知装置１は、装置各部に動作電源を供給する内蔵電源７と、監視エリア内の人体を検知する人体検出部３と、タイマ時間Ｔ１を計時する計時手段５ａと、人体検出部３が人体を検知したときに警告音発生指示信号を出力するとともに計時手段５ａを起動し、計時手段５ａが計時中に人体検出部３が人体を検知したときに確認音発生指示信号を出力する制御部５と、警告音発生指示信号を受信したときに監視エリアに対して警告音を出力し、確認音発生指示信号を受信したときに監視エリアに対して警告音より小音量で消費電力が小さい確認音を出力する報知部６とを備える。【選択図】    図１
2008004022.tif 000002
【特許請求の範囲】
【請求項１】
装置本体に内蔵され、装置各部に動作電源を供給する内蔵電源と、
監視エリアに存在する人体を検知する検出手段と、
所定時間を計時する計時手段と、
前記計時手段が非計時中に前記検出手段が人体を検知すると第一の報知信号を出力するとともに前記計時手段を起動し、前記計時手段が計時中に前記検出手段が人体を検知すると第二の報知信号を出力する制御手段と、
前記第一の報知信号を受信したときに前記監視エリアに対して第一の報知音を出力し、前記第二の報知信号を受信したときに前記監視エリアに対して前記第一の報知音より消費電力が小さい第二の報知音を出力する報知手段とを備えたことを特徴とする警告機能を備えた人体検知装置。
【請求項２】
監視エリアに存在する人体を検知する検出手段と、
所定時間を計時する計時手段と、
前記計時手段が非計時中に前記検出手段が人体を検知すると第一の報知信号を出力するとともに前記計時手段を起動し、前記計時手段が計時中に前記検出手段が人体を検知すると第二の報知信号を出力する制御手段と、
前記第一の報知信号を受信したときに前記監視エリアに対して第一の報知音を出力し、前記第二の報知信号を受信したときに前記監視エリアに対して前記第一の報知音より音量の小さい第二の報知音を出力する報知手段とを備えたことを特徴とする警告機能を備えた人体検知装置。
【請求項３】
前記制御手段は、前記計時手段が計時中に前記検出手段が人体を検知する度に前記所定時間をリセットして前記計時手段を再起動する請求項１又は請求項２に記載の警告機能を備えた人体検知装置。
【請求項４】
さらに、前記所定時間より長い第二の所定時間を計時する第二の計時手段を備え、
前記制御手段は、前記計時手段が非計時中に前記検出手段が人体を検知すると前記計時手段の起動とともに前記第二の計時手段を起動し、当該第二の計時手段が計時完了したときに前記計時手段による計時を強制終了する請求項３に記載の警告機能を備えた人体検知装置。
【発明の詳細な説明】
【技術分野】
【０００１】
本発明は、家屋への不審者の侵入を未然に防止するための人体検知装置に関し、特に騒音や消費電力を抑えつつ、家屋へ侵入しようとする不審者への威嚇とともに、被検知者に対して検知中であることを確実に認識させることができる警告機能を備えた人体検知装置に関するものである。
【背景技術】
【０００２】
従来、家屋への不審者の侵入を未然に防止することを目的とした人体検知装置が提案されている。この種の人体検知装置は、例えば家屋の玄関先や庭などの屋外に設置され、予め設定された監視エリア内に侵入した不審者を検出したときに、警告音によって不審者を威嚇するものである。
【０００３】
このような人体検知装置では、不審者に対する威嚇効果を高めるために、警告音を比較的大音量で出力している。また、屋外での設置の利便性を考慮して、本体にバッテリを内蔵することで外部配線を無くしている。
【０００４】
ところが、この種の人体検知装置において、警告音を比較的大音量で必要以上に出力してしまうと、近隣の住人に対して不快感を与えるだけでなく、バッテリの寿命も短くなるという課題があった。
【０００５】
そこで、上記課題を解消するための装置として、下記特許文献１には、人体検知動作のＯＮ／ＯＦＦを切り替えるリモコン装置を設けた防犯センサが開示されている。この特許文献１に開示される防犯センサでは、住人が所持するリモコン装置のＯＦＦ操作時に警告音を発生させないことで近所迷惑やバッテリの浪費を抑制している。
【特許文献１】特開２０００−９９８３６号公報
【発明の開示】
【発明が解決しようとする課題】
【０００６】
しかしながら、上記特許文献１に開示される防犯センサでは、人体検知動作がＯＮ状態の場合、リモコン装置を所持していない来訪者に対して警告音を出力し続けることになる。このため、来訪者や近隣の住人に対して不快感を与えてしまう。
【０００７】
また、人体検知動作がＯＦＦに設定されている状態では、人体検知動作が解除されて警告音を鳴らさないため、装置の利用者である家人が監視エリアを確認する場合に、検知状態を確認することができないという課題があった。
【０００８】
そこで、本発明は、上記課題を解決するため、騒音や消費電力を抑えつつ、家屋へ侵入しようとする不審者への威嚇とともに、被検知者に対して検知中であることを確実に認識させることができる警告機能を備えた人体検知装置を提供することを目的とする。
【課題を解決するための手段】
【０００９】
上記目的を達成するため、第一の発明は、装置本体に内蔵され、装置各部に動作電源を供給する内蔵電源と、
監視エリアに存在する人体を検知する検出手段と、
所定時間を計時する計時手段と、
前記計時手段が非計時中に前記検出手段が人体を検知すると第一の報知信号を出力するとともに前記計時手段を起動し、前記計時手段が計時中に前記検出手段が人体を検知すると第二の報知信号を出力する制御手段と、
前記第一の報知信号を受信したときに前記監視エリアに対して第一の報知音を出力し、前記第二の報知信号を受信したときに前記監視エリアに対して前記第一の報知音より消費電力が小さい第二の報知音を出力する報知手段とを備えた人体検知装置を提供する。
【００１０】
また、上記目的を達成するため、第二の発明は、監視エリアに存在する人体を検知する検出手段と、
所定時間を計時する計時手段と、
前記計時手段が非計時中に前記検出手段が人体を検知すると第一の報知信号を出力するとともに前記計時手段を起動し、前記計時手段が計時中に前記検出手段が人体を検知すると第二の報知信号を出力する制御手段と、
前記第一の報知信号を受信したときに前記監視エリアに対して第一の報知音を出力し、前記第二の報知信号を受信したときに前記監視エリアに対して前記第一の報知音より音量の小さい第二の報知音を出力する報知手段とを備えた人体検知装置を提供する。
【００１１】
なお、前記第一の報知音は、監視エリアにいる被検知者に警告を促すための警告音として機能させ、また前記第二の報知音は、前記第一の報知音よりも音量が小さく低消費電力であり、被検知者に検知中であることを認知させるための確認音として機能させることができる。
【００１２】
更に、第一の発明または第二の発明における人体検知装置の好ましい態様では、
前記制御手段は、前記計時手段が計時中に前記検出手段が人体を検知する度に前記所定時間をリセットして前記計時手段を再起動する。
【００１３】
更に、第一の発明または第二の発明における人体検知装置の好ましい態様では、前記所定時間より長い第二の所定時間を計時する第二の計時手段を備え、
前記制御手段は、前記計時手段が非計時中に前記検出手段が人体を検知すると前記計時手段の起動とともに前記第二の計時手段を起動し、当該第二の計時手段が計時完了したときに前記計時手段による計時を強制終了する。
【発明の効果】
【００１４】
本発明に係る警告機能を備えた人体検知装置によれば、検出手段が監視エリアに存在する人体を検知したときに、第一の報知信号を出力して計時手段を起動し、この計時手段の計時中に検出手段が人体を検知したときに第二の報知信号を出力している。そして、制御手段から第一の報知信号を受信したときに監視エリアに対して第一の報知音を出力し、制御手段から第二の報知信号を受信したときには第一の報知音よりも音量の小さい（又は消費電力の小さい）第二の報知音を出力している。これにより、騒音や消費電力を抑えつつ、家屋へ侵入しようとする不審者への威嚇とともに、被検知者に対して検知中であることを確実に認識させることができる。また、一旦第一の報知音により警告した被検知者に対して何度も警告することを防ぐととともに、長時間に渡って監視エリアに滞留する不審者に対しては再度警告を行うことができる。
【００１５】
また、計時手段の計時中に検出手段が人体を検知する度に計時時間をリセットして計時手段を再起動する構成とすれば、計時手段の計時中に人体を検知する度に騒音や消費電力を抑えた第二の報知音を監視エリアに出力して、被検知者に検知中であることを確実に認識させることができる。
【００１６】
さらに、計時手段の所定時間より長い第二の所定時間を計時する第二の計時手段を備え、計時手段の非計時中に検出手段が人体を検知したときに計時手段の起動とともに第二の計時手段を起動し、第二の計時手段の計時が完了したときに計時手段による計時を強制終了する構成とすれば、人体の検知時に第二の報知音で出力する場合の監視時間の上限時間を第二の計時手段の第二の所定時間で規定することができる。
【発明を実施するための最良の形態】
【００１７】
以下、本発明に係る警告機能を備えた人体検知装置について図面を参照しながら説明する。図１は本発明に係る警告機能を備えた人体検知装置１のブロック構成図、図２は本発明に係る人体検知装置１が設置される監視エリアの一例を示す概略平面図、図３は本発明に係る人体検知装置１の動作フローチャートである。
【００１８】
本発明に係る人体検知装置１は、予め設定される監視エリアを常時（２４時間）監視するように屋外の必要箇所に設置され、騒音や消費電力を抑えつつ、家屋へ侵入しようとする不審者への威嚇とともに、被検知者に対して検知中であることを確実に認識させることができるものである。
【００１９】
図１に示すように、本例の人体検知装置１は、設定入力部２、人体検出部３、記憶部４、制御部５、報知部６、内蔵電源（バッテリ）７を備えて概略構成される。本例の人体検知装置１は、内蔵電源７からの電源供給により図２に示す監視エリア１１を常時（２４時間）監視するように単体の装置として動作し、外部配線を設けることなく屋外の所望の場所に設置可能としている。
【００２０】
尚、人体検知装置１は、図２に示すように、例えば玄関２１や窓２２などのように、屋外２３から家屋２４内へ通じるルート付近で部外者が侵入しやすい場所を監視エリア１１として監視するように設置するのが好ましい。
【００２１】
設定入力部２は、例えば装置内部に設けられるディップスイッチやボリウムなどで構成され、後述する第一計時手段５ａ及び第二計時手段５ｂのタイマ時間Ｔ１，Ｔ２の設定、後述する報知部６の音声出力手段６ｂの音量（音圧）調整、警告メッセージの選択などを予め設置場所に適したものに設置者の操作によって設定し、制御部５に設定内容を入力するものである。
【００２２】
人体検出部３は、受動型の赤外線センサで構成され、予め設定される監視エリア１１内における人体の有無を検出している。受動型の赤外線センサを用いた人体検出部３では、監視エリア１１に生じている赤外線を例えばミラーやレンズなどの光学系により集光して焦電素子で受光し、この受光量の変化に基づいて人体の有無を示す信号を制御部５へ出力する。赤外線センサについては、従来広く使用されているもののため、ここでは詳細な説明を省略する。
【００２３】
尚、人体検出部３としては、装置を内蔵電源７により常時駆動するため、消費電力の小さい受動型の赤外線センサを用いるのが好ましいが、監視エリア１１内の人体の有無を検出することが可能なものであれば、受動型の赤外線センサ以外のセンサ（例えば超音波センサ、光センサ、サーモパイルセンサなど）を用いることもできる。
【００２４】
記憶部４は、監視エリア１１を常時監視する監視モードとして、警告モードであるか省電力モードであるかを示す情報（警告モード、又は省電力モード）を記憶している。本例では、人体検出装置１を動作させる初期状態において、警告モードを記憶している。
【００２５】
ここで、警告モードとは、監視エリア１１にいる被検知者に対して警告を促す（不審者に対しては威嚇する）ためのモードである。また、省電力モードとは、監視エリア１１にいる被検知者に検知中であることを認知させるためのモードである。
【００２６】
制御部５は、監視エリア１１の監視に係わる一連の動作を統括制御するもので、図１に示すように、第一計時手段５ａ、第二計時手段５ｂ、判定手段５ｃ、指示手段５ｄを備えている。
【００２７】
第一計時手段５ａと第二計時手段５ｂは、例えば制御部５の内部クロックをカウントするカウンタを含むタイマで構成することができる。第一計時手段５ａは、予め設定入力部２から設定されたタイマ時間Ｔ１（例えばＴ１＝１分）を計時するもので、タイマ時間Ｔ１がタイムアップするとリセットされるようになっている。タイマ時間Ｔ１は、訪問者や誤って進入した者が監視エリア１１から立ち去ることができる十分な時間とする。
【００２８】
第二計時手段５ｂは、予め設定入力部２から第一計時手段５ａのタイマ時間Ｔ１より長い時間に設定されたタイマ時間Ｔ２（例えばＴ２＝１０分）を計時するもので、タイマ時間Ｔ２がタイムアップするとリセットされるようになっている。タイマ時間Ｔ２は、家人や配達業者などが監視エリア１１で作業する際に必要な時間程度に設定する。
【００２９】
尚、図１では、第一計時手段５ａと第二計時手段５ｂとが制御部５に包含されるように図示したが、第一計時手段５ａと第二計時手段５ｂとは、後述する指示手段５ｄからの指示信号をトリガとして計時し、タイムアップしたときにリセットされる構成であれば良く、例えば制御部５とは別体のタイマで構成することもできる。
【００３０】
判定手段５ｃは、人体検出部３からの人体を検出した旨の信号の有無を監視し、人体を検出した旨の信号を受信すると人体検知と判定している。また、判定手段５ｃは、監視エリア１１に人体が存在すると判定したときに、記憶部４が記憶しているモード（警告モード又は省電力モード）に基づいて現在のモードが省電力モードか否かを判定している。さらに、判定手段５ｃは、省電力モード時に、第一計時手段５ａのタイマ時間Ｔ１のタイムアップの有無、第二計時手段５ｂのタイマ時間Ｔ２のタイムアップの有無を判定している。
【００３１】
指示手段５ｄは、判定手段５ｃが監視エリア１１に人体が存在すると判定したときに、記憶部４が記憶しているモード（警告モード又は省電力モード）に応じた報知音の出力を行うように報知部６に指示信号（第一の報知信号又は第二の報知信号）を出力している。また、これと同時に指示手段５ｄは、モードに応じて、第一計時手段５ａ及び第二計時手段５ｂの起動、リスタート（再起動）、及び記憶部４への記憶モード変更の指示を行う。さらに、指示手段５ｄは、判定手段５ｃが第一計時手段５ａ及び第二計時手段５ｂのタイマ時間Ｔ１，Ｔ２の何れかがタイムアップしたと判定したときに、第一計時手段５ａ及び第二計時手段５ｂのリセット（強制終了）、及び記憶部４への記憶モード変更の指示を行う。
【００３２】
図１に示すように、報知部６は、音声再生手段６ａと音声出力手段６ｂを備えている。音声再生手段６ａは、監視エリア１１にいる被検知者に対して警告を促す（不審者に対しては威嚇する）ための警告音（出力電圧＝大、音量＝大）と、監視エリア１１にいる被検知者に検知中であることを認知させるための確認音（警告音と比較して、出力電圧＝小、音量＝小）とが予め設定入力部２により音量調整されて登録されている。報知部６は、制御部５からの指示信号に応じて、警告音（第一の報知音）か確認音（第二の報知音）の何れかを音声出力手段６ｂとしてのスピーカを介して監視エリア１１へ出力している。
【００３３】
ここで、警告音としては、例えば予め設定入力部２で選択された音声式の警告ガイダンス（「ただいま警戒中です。直ちに退去してください。」など）や大音量のブザー音などを用いることができる。また、報知音としては、例えば電子音（「ピッピッ」など）を用いることができる。
【００３４】
内蔵電源（バッテリ）７は、例えば装置本体の不図示のホルダーに着脱交換可能な電池で構成され、装置各部に必要な駆動電源を供給している。
【００３５】
次に、上記のように構成される人体検知装置の動作について図３のフローチャートを参照しながら説明する。尚、以下の説明では、初期状態において、記憶部４が警告モードを記憶しているものとする。
【００３６】
制御部５は、内蔵電源（バッテリ）７が装着されて電源供給を受けると、記憶部４が記憶しているモードから現在のモードが警告モードであることを認識する。そして、警告モードによる監視エリア１の監視が開始されると、制御部５は、図３に示す監視動作処理を実行する。この監視動作処理において、制御部５の判定手段５ｃは、まず人体検出部３が人体を検知したか否かを判定する（ＳＴ１）。
【００３７】
そして、判定手段５ｃが人体を検知したと判定すると（ＳＴ１−Ｙｅｓ）、指示手段５ｄは、報知部６の音声再生手段６ａに第一の報知信号として警告音発生指示信号を出力する。音声再生手段６ａは、指示手段５ｄから警告音発生指示信号が入力されると、監視エリア１１に対して警告音（警告ガイダンス）を出力する（ＳＴ２）。これにより、監視エリア１１にいる被検知者に対して警告音（警告ガイダンス）により警告を促す。監視エリア１１にいる被検知者が不審者の場合には、監視エリア１１から退去するように警告音（警告ガイダンス）が威嚇効果を発揮する。
【００３８】
また、上記警告音（警告ガイダンス）の出力と同時にモードが警告モードから省電力モードに移行する（ＳＴ２）。このモードの移行により、記憶部４は、現在のモードを示す情報として、警告モードを省電力モードに変更して記憶する。そして、指示手段５ｂは、タイマ時間Ｔ１の第一計時手段５ａとタイマ時間Ｔ２の第二計時手段５ｂとを同時に起動させる（ＳＴ３）。
【００３９】
次に、判定手段５ｃは、第二計時手段５ｂのタイマ時間Ｔ２がタイムアップしたか否かを判定する（ＳＴ４）。第二計時手段５ｂのタイマ時間Ｔ２がタイムアップしたと判定すると（ＳＴ４−Ｙｅｓ）、指示手段５ｄは、モードを省電力モードから警告モードに移行させる（ＳＴ５）。このモードの移行により、記憶部４は、現在のモードを示す情報として、省電力モードを警告モードに変更して記憶する。そして、指示手段５ｄは、第一計時手段５ａのタイマ時間Ｔ１と第二計時手段５ｂのタイマ時間Ｔ２とを同時にリセットし（ＳＴ６）、ＳＴ１の人体検出部３が人体を検知したか否かの判定処理に戻る。
【００４０】
また、判定手段５ｃは、第二計時手段５ｂのタイマ時間Ｔ２がタイムアップしていないと判定すると（ＳＴ４−Ｎｏ）、第一計時手段５ａのタイマ時間Ｔ１がタイムアップしたか否かを判定する（ＳＴ７）。そして、判定手段５ｃが、第一計時手段５ａのタイマ時間Ｔ１がタイムアップしたと判定すると（ＳＴ７−Ｙｅｓ）、指示手段５ｄは、モードを省電力モードから警告モードに移行させる（ＳＴ５）。このモードの移行により、記憶部４は、現在のモードを示す情報として、省電力モードを警告モードに変更して記憶する。そして、指示手段５ｄは、第一計時手段５ａのタイマ時間Ｔ１と第二計時手段５ｂのタイマ時間Ｔ２とを同時にリセットし（ＳＴ６）、ＳＴ１の人体検出部３が人体を検知したか否かの判定処理に戻る。
【００４１】
さらに、判定手段５ｃは、第二計時手段５ｂのタイマ時間Ｔ２がタイムアップしていないと判定し（ＳＴ４−Ｎｏ）、さらに第一計時手段５ａのタイマ時間Ｔ１がタイムアップしていないと判定すると（ＳＴ７−Ｎｏ）、人体検出部３が人体を検知したか否かを判定する（ＳＴ８）。そして、人体検出部３が人体を検知していないと判定すると（ＳＴ８−Ｎｏ）、ＳＴ４の第二計時手段５ｂのタイマ時間Ｔ２がタイムアップしたか否かの判定処理に戻る。これに対し、人体検出部３が人体を検知したと判定すると（ＳＴ８−Ｙｅｓ）、指示手段５ｄから報知部６の音声再生手段６ａに第二の報知信号としての確認音発生指示信号を出力する。そして、音声再生手段６ａは、指示手段５ｄから確認音発生指示信号が入力されると、音声出力手段６ｂから監視エリア１１に対して警告音（警告ガイダンス）よりも音量が小さく低消費電力の確認音を出力する（ＳＴ９）。これにより、監視エリア１１にいる被検知者に対し、継続して検知中であることを認識させる。また同時に、第一計時手段５ａをリスタートし（ＳＴ９）、ＳＴ４の第二計時手段５ｂのタイマ時間Ｔ２がタイムアップしたか否かの判定処理に戻る。
【００４２】
このように、本例の人体検知装置１では、初期状態において記憶部４が警告モードを記憶しているときに、監視エリア１１の監視が開始されると、人体検出部３による監視エリア１１内での最初の人体検知時に警告音（警告ガイダンス）を監視エリア１１に出力する。そして、この警告音の出力と同時にモードを警告モードから省電力モードに移行し、第一計時手段５ａ及び第二計時手段５ｂのタイマ時間Ｔ１，Ｔ２の何れかがタイムアップするまでの間で人体検出部３が監視エリア１１の人体を検知したときに、警告音よりも音量が小さく低消費電力の確認音を監視エリア１１に出力する。また、省電力モードで、第一計時手段５ａ及び第二計時手段５ｂのタイマ時間Ｔ１，Ｔ２の何れかがタイムアップしたときには、モードを省電力モードから警告モードに戻し、タイマ時間Ｔ１，Ｔ２をリセットして人体検出部３による監視エリア１１内での人体の有無を検知する。これにより、騒音や消費電力を抑えつつ、家屋へ侵入しようとする不審者への威嚇とともに、被検知者に対して検知中であることを確実に認識させることができる。また、一旦警告音（警告ガイダンス）により警告した被検知者に対して何度も警告することを防ぐととともに、長時間に渡って監視エリア１１に滞留する不審者に対しては再度警告ガイダンスを行うことができる。
【００４３】
そして、本例の人体検知装置１によれば、例えば家屋に侵入しようとする不審者が監視エリア１１に侵入してきた場合、警告音（警告ガイダンス）による威嚇を無視して侵入を試みる不審者に対しても低消費電力の確認音を出力するので、バッテリの消費や近隣への騒音を抑えながらも不審者を威嚇することができる。しかも、監視エリア１１に滞留する不審者に対しては、確認音の出力後に再度警告音（警告ガイダンス）を出力するので、さらに効果的な威嚇を行うことができる。
【００４４】
また、監視エリア１１の範囲を確認するために家人が監視エリア１１に出入りする場合であっても、警告音を出力させずに小音量で低消費電力の確認音が出力されるので、バッテリ浪費や近隣への騒音を抑えて監視エリア１１の範囲を確認することができる。しかも、タイマ時間Ｔ１又はＴ２がタイムアップする前に監視エリア１１の範囲の確認を済ませれば、タイマ時間Ｔ１又はＴ２のタイムアップ後に、自動的にモードを警告モードに移行させることができる。
【００４５】
また、悪意のない来訪者が監視エリア１１に入ってしまった場合であっても、来訪者が最初の警告音（警告ガイダンス）を聞いて監視エリア１１から退去すれば、警告音（警告ガイダンス）を何度も出力しないため、バッテリ浪費や近隣への騒音を低減させることができる。
【００４６】
さらに、監視エリア１１に入ってきた犬や猫などの小動物を誤って人体と判定してしまうような場合であっても、バッテリ浪費や近隣への騒音を低減させることができる。
【００４７】
ところで、上述した実施形態では、初期状態において記憶部４が警告モードを記憶しているものとして一連の動作について説明したが、監視動作の初期時に記憶部４が省電力モードを記憶していても良い。この場合、監視動作が開始されると、図３のＳＴ３からの動作が実行される。これにより、装置を設置したときに家人や設置業者が監視エリアの範囲を確認する際には、警告音を出力させることなく確認することができる。
【００４８】
また、省電力モードが長時間継続しても良い場合は、図３の監視動作において、ＳＴ３、ＳＴ４、ＳＴ６における第二計時手段５ｂに関する処理及び構成を省略すれば良い。この場合、警告モードから省電力モードへの移行後、第一計時手段５ａのタイマ時間Ｔ１内に人体検出部３による人体検知が有る度に第一計時手段５ａのタイマ時間Ｔ１をリセットして再起動し、第一計時手段５ａのタイマ時間Ｔ１がタイムアップしたときに警告モードに移行することになる。
【００４９】
更に省電力モードを一定時間に限り設定されるようにしたい場合は、図３の監視動作において、ＳＴ３、ＳＴ４、ＳＴ６における第二計時手段５ｂに関する処理及び構成を省略した上、ＳＴ９における第一計時手段５ａのリスタート処理を行わなければ良い。これにより、第二計時手段５ｂのタイマ時間Ｔ２（＞Ｔ１）で規定される省電力モードの監視時間の延長を行わず、省電力モードを所定時間（タイマ時間Ｔ１）で必ず終了させることができる。
【００５０】
また、本実施形態では、報知部６の音声再生手段６ａが警告音及び確認音を再生する構成としたが、音声再生手段６ａとは別に設けたブザーなどの鳴動手段を用いて確認音を出力するようにしても良い。この場合、制御部５の指示手段５ｄは、警告モード時に音声再生手段６ａに動作指示し、省電力モード時には鳴動手段としてのブザーに電圧を印加して鳴動させる。
【図面の簡単な説明】
【００５１】
【図１】本発明に係る警告機能を備えた人体検知装置のブロック構成図である。
【図２】本発明に係る人体検知装置が設置される監視エリアの一例を示す概略平面図である。
【図３】本発明に係る人体検知装置の動作フローチャートである。
【符号の説明】
【００５２】
１  人体検知装置
２  設定入力部
３  人体検出部
４  記憶部
５  制御部
５ａ  第一計時手段（タイマ時間Ｔ１）
５ｂ  第二計時手段（タイマ時間Ｔ２）
５ｃ  判定手段
５ｄ  指示手段
６  報知部
６ａ  音声再生手段
６ｂ  音声出力手段（スピーカ）
７  内蔵電源（バッテリ）
１１  監視エリア
【図１】
2008004022.tif 000003
【図２】
2008004022.tif 000004
【図３】
2008004022.tif 000005